(57)【要約】  本発明は、ガラス繊維上に接着剤組成物を吐出するための環状吐出装置（２０）に関し、この装置は、接着剤組成物を分配するための少なくとも１つの回路、及び分配回路と流体連結し、かつ環状吐出装置の周上に分布したスプレーノズルであって、回転軸線（Ｘ−Ｘ）によって定められる環状吐出装置内を通過することが意図されているガラス繊維上へ接着剤組成物を吐出するための複数のスプレーノズル（２２）を備えており、各スプレーノズル（２２）は、環状噴霧装置の回転面（Ｐ）に対して定まる傾斜角（α）で環状噴霧装置の内側を向いている。環状吐出装置の周上に連続して配置した少なくとも２つのスプレーノズル（２２）は、それぞれ、互いに対して異なる傾斜角で、環状噴霧装置の回転面（Ｐ）に対する方向を有するように配置されている。
2020529530.tif 000002
【特許請求の範囲】
【請求項１】
ミネラル繊維（３）上に接着剤組成物を吐出するための環状吐出装置（２０）であって、前記接着剤組成物を分配するための少なくとも１つの分配回路（２４、２６）、及び前記分配回路と流体接続し、かつ前記環状吐出装置の周上に分布したスプレーノズルであって、回転軸線（Ｘ−Ｘ）によって定められる前記環状吐出装置の内側を通過することが意図されている前記繊維上へ前記接着剤組成物を吐出するための複数のスプレーノズル（２２）を備えており、各スプレーノズル（２２）が、前記環状吐出装置の回転面（Ｐ）に対して定まる傾斜角（α）で前記環状吐出装置の内側に向けられている環状吐出装置において、
前記環状吐出装置の前記周上に連続して配置した少なくとも２つのスプレーノズル（２２、２２１、２２２）が、それぞれ、互いに対して異なる傾斜角（α）で、前記環状吐出装置の前記回転面（Ｐ）に対する方向を有するように配置されていることを特徴とする、
環状吐出装置。
【請求項２】
前記回転面（Ｐ）に対する前記スプレーノズル（２２）の傾斜角（α）が、０〜８０°の範囲内であることを特徴とする、請求項１に記載の接着剤組成物を吐出するための環状吐出装置。
【請求項３】
各ノズル（２２）が、少なくとも１つの前記分配回路（２４、２６）の範囲を定める環状管（２３、２５）に固定した固定胴体（３２）を備えており、前記環状吐出装置（２０）の前記周上に連続して配置した少なくとも２つの前記スプレーノズルが、前記環状吐出装置の前記回転軸線（Ｘ−Ｘ）に対して、１つの同じ軸レベルに配置した胴体を有することを特徴とする、請求項１又は２に記載の環状吐出装置。
【請求項４】
前記環状吐出装置が、複数のスプレーノズル（２２）を備えており、かつ各ノズルが、前記環状吐出装置（２０）の前記回転面（Ｐ）に対する方向がそれ自体とは異なっているノズルと隣り合っていることを特徴とする、請求項１から３のいずれか一項に記載の接着剤組成物を吐出するための環状吐出装置。
【請求項５】
前記スプレーノズル（２２）が、少なくとも２つのセットであって、前記環状吐出装置の前記回転面（Ｐ）に対する前記方向が第一の傾斜角（α１）を取るように各ノズルを構成した第一のセット（２２１）と、前記環状吐出装置の前記回転面に対する前記方向が前記第一の角度とは異なる第二の傾斜角（α２）を取るように各ノズルを構成した第二のセット（２２２）とに分けられており、前記スプレーノズルが、前記環状吐出装置（２０）の前記周上に、前記第一のセット（２２１）のノズルと前記第二のセット（２２２）のノズルとが交互になるように配置されていることを特徴とする、請求項４に記載の接着剤組成物を吐出するための環状吐出装置。
【請求項６】
前記第一のセット（２２１）の前記ノズルを、前記環状吐出装置の前記回転面（Ｐ）に対して、０°〜４５°の範囲内の第一の傾斜角（α１）の方向になるように構成し、かつ前記第二のセット（２２２）の前記ノズルを、前記環状吐出装置の前記回転面に対して、２５°〜８０°の範囲内の第二の傾斜角（α２）の方向になるように構成することを特徴とする、請求項５に記載の接着剤組成物を吐出するための環状吐出装置。
【請求項７】
前記環状吐出装置（２０）の前記周上に連続して配置した少なくとも２つのスプレーノズル（２２、２２１、２２２）が、接着剤組成物のフラットジェットを形成するように、長方形断面のスリット（５０）を有するスプレーヘッド（３６）を備えていることを特徴とする、請求項１から６のいずれか一項に記載の接着剤組成物を吐出するための環状吐出装置。
【請求項８】
長方形断面の前記スリット（５０）が、前記接着剤組成物の対応するフラットジェットが、３０°〜１２０°の開口角（β）を有するような寸法になっていることを特徴とする、請求項７に記載の接着剤組成物を吐出するための環状吐出装置。
【請求項９】
前記接着剤組成物のための前記分配回路（２４、２６）が、単一の供給口（２７、３１）、及びスプレーノズル（２２）にそれぞれ接続した複数の開口部（２９、３０）を備えていることを特徴とする、請求項１から８のいずれか一項に記載の接着剤組成物を吐出するための環状吐出装置。
【請求項１０】
前記環状吐出装置（２０）が、前記環状吐出装置の前記回転軸線（Ｘ−Ｘ）に沿ってオフセットしている２つの別個の分配回路（２４、２６）を備えており、前記スプレーノズル（２２）が、前記分配回路の各々と流体接続するようにこれらの２つの分配回路の間に配置されていることを特徴とする、請求項１から９のいずれか一項に記載の接着剤組成物を吐出するための環状吐出装置。
【請求項１１】
第一の分配回路（２４）を、前記接着剤組成物を受け取るように構成し、かつ第二の分配回路（２６）を、圧縮空気を受け取るように構成することを特徴とする、請求項１０に記載の接着剤組成物を吐出するための環状吐出装置。
【請求項１２】
前記第一の分配回路（２４）が、前記第二の分配回路（２６）の平均断面径よりも小さい平均断面径を有することを特徴とする、請求項１１に記載の接着剤組成物を吐出するための環状吐出装置。
【請求項１３】
前記繊維上に吐出すべき接着剤組成物の量に応じて前記圧縮空気の流量を制御するための手段を備えていることを特徴とする、請求項１１又は１２に記載の接着剤組成物を吐出するための環状吐出装置。
【請求項１４】
ガラス繊維をこれらの繊維のための接着ステーション（２）に運ぶように構成した繊維化手段を備えたミネラルウール製造設備（１００）であって、
前記接着ステーションが、請求項１から１３のいずれか一項に記載の接着剤組成物を吐出するための環状吐出装置（２０）によって形成した接着装置のみを備えており、前記環状吐出装置は、回転面（Ｐ）が接着すべき前記円環状の繊維の通過方向に対して実質的に直角であるように配置されていることを特徴とする、
ミネラルウール製造設備。
【請求項１５】
前記環状吐出装置（２０）が請求項１１に従う、請求項１４に記載のミネラルウール製造設備であって、
前記接着剤組成物に関連する前記第一の分配回路（２４）が、前記圧縮空気に関連する前記第二の分配回路（２６）に対して前記繊維の経路の下流に位置するように、前記環状吐出装置が配置されていることを特徴とする、
ミネラルウール製造設備。
【請求項１６】
少なくとも以下の工程を行う、ミネラルウールの製造方法：
−  溶融ガラスを繊維化ステーションに運ぶこと、
−  この繊維化ステーションにおいて、ガラス繊維が、接着ステーションに向かう繊維の束の形態を取るように、これらのガラス繊維を作製すること、
−  前記接着ステーションにおいて、前記繊維の前記束が、接着剤組成物の添加によって一緒に結合し、前記繊維の前記束が、前記接着ステーション中に冷却リングを配置することなく、前記接着ステーションへの進入時にすぐに結合すること、及び
−  これまでに得られた、一緒に接着した繊維のバットを加熱することによって変換し、ミネラルウールを形成すること。
【発明の詳細な説明】
【技術分野】
【０００１】
本発明は、ミネラルウール、例えば、グラスウールのタイプのミネラルウールの製造分野を取り扱うものである。より詳細には、本発明は、繊維間及び／又は繊維上へのバインダーを吐出するための操作及び対応するシステムに関する。
【背景技術】
【０００２】
従来のミネラルウール製造設備は、複数の連続するステーションを備えており、これらのステーションは、ガラス繊維を作り出す繊維化ステーション、接着剤組成物の添加によって繊維を一緒に結合する接着ステーション、及び前工程で得られた繊維を一緒に接着した繊維のバットを加熱によって変換してミネラルウールを形成する架橋ステーションを含んでいる。
【０００３】
より詳細には、溶融ガラスが、繊維化ステーションにおいて遠心装置を形成する回転円板へ注がれ、その外側からガラス繊維が排出されて、空気流の影響下で、コンベアに向かって落下する。繊維が、このコンベアに向かって落下する際に通過するのに従って、バインダーの形成に関与する接着剤組成物を、通過する繊維上に噴霧する。接着剤組成物の蒸発を避けるために、接着操作の下流での冷却剤の、特に水の吐出によって、接着することになる繊維に対して冷却操作を施すことができる。接着した繊維は、一旦冷却すると、コンベア上に落下し、同時に形成したバットが、次に、架橋ステーションを形成するオーブンへ向かって送られ、そこでは、バットが、乾燥されると同時に、繊維の表面上に存在するバインダーの樹脂の重合（又は「硬化」）を誘発する特定の熱処理を受ける。
【０００４】
ミネラルウールの連続したバットは、続いて、切断されて、例えば、断熱材及び／又は防音材のパネル又はロールを形成することが意図されている。
【０００５】
バインダーの吐出は、接着することになる繊維の通過時に制御される。先行技術から、特に欧州特許出願公開第１  ８０７  ２５９号公報から、スプレーノズルを有する２つの環状リングを備え、ガラス繊維がその中を連続的に通過するバインダー吐出装置が公知である。１つのリングは、バインダーのタンクと連結しており、この第一のリングに付随する各スプレーノズルは、通過するガラス繊維に対してバインダーを吐出するために、独立した供給口を介して、一方ではある一定量のこのバインダーを受け取るように、他方ではある一定量の圧縮空気を受け取るように構成されており、かつ他方のリングは、冷却剤のタンクと連結しており、この第二のリングに付随する各スプレーノズルは、通過するガラス繊維に対して、この冷却剤を吐出するように構成されている。
【０００６】
様々なタイプのスプレーノズルが知られており、特に、数ある中でも、コーンノズル又はファンノズルが知られており、コーンノズルは、局所集中し、かつこれらのスプレーノズルを有する環状リングを通過する円環状のガラス繊維に激しく貫通することができるジェットを供給することを可能とし、ファンノズルは、より広く拡散し、したがって、円環状の繊維の外周上に分布することができるジェットを供給することを可能とする。国際公開第２００８／０８５４６１号には、１つの同じリング上に異なるタイプのスプレーノズルを配置すること、特に、集中ジェットノズル及びファンノズルを交互に配置することが提案されており、それによって、円環状のガラス繊維の内側及び外側の両方に接着剤を吐出するようにしている。
【発明の概要】
【発明が解決しようとする課題】
【０００７】
通過するガラス繊維上に接着剤を吐出するための、環状リング上のスプレーノズルの設計に関して、ノズルの１つに欠損が生じる可能性、特にノズルが閉塞する可能性を考慮に入れておくことが重要であり、その場合、この欠損したノズルを交換するまでの短い間に、バインダーの分布は、ガラス繊維によって形成された円環状の周全体にわたってもはや均一ではなくなる。そのような欠損を補助することができるスプレーノズルを追加することは、リング上でのノズルの配置に関する問題を引き起こす。
【課題を解決するための手段】
【０００８】
本発明は、こうした状況の範囲内にあって、ガラス繊維を例とするミネラル繊維上に接着剤組成物（サイジング組成物）を吐出するための環状装置を提案することを目的とし、この装置は、接着剤組成物のための少なくとも１つの分配回路、及び分配回路と流体接続し、かつ環状吐出装置の周上に分布したスプレーノズルであって、回転軸線によって定められる環状吐出装置の中を通過することが意図されている繊維へ接着剤組成物を吐出するための複数のスプレーノズルを備えており、各スプレーノズルが、環状吐出装置の回転面に対して定まる傾斜角で環状吐出装置の内側に向けられている。本発明によれば、環状吐出装置の周上に連続して配置した少なくとも２つのスプレーノズルは、それぞれ、互いに対して異なる傾斜角で、環状吐出装置の回転面に対する方向を有するように配置されている。
【０００９】
そのような解決手段により、接着剤組成物のジェットが交差するリスクを取ることなく、ノズルの数を増加させることが可能となる。本発明者らは、実際、これらのノズルによって噴霧するジェットを交差させないことが有益であり、そのようなジェットの干渉は、合着によって、形成した液滴サイズの変化を発生させる可能性があることを見出した。したがって、本発明によれば、ノズルを互いに近接させて配置することが可能であり、それによって、すべてのノズルが同時に動作する場合に、これらのノズルから噴霧されるジェットが、所望の形態にならないというリスクを回避しながら、円環状の繊維を、１００％を超えて確実に被覆し、かつ１つのノズルが故障した場合であっても、円環状の繊維が確実に正しく接着することができるようになっている。したがって、この接着剤組成物を、円環状の周全体にわたって、スプレーゾーンによって変動することのない液滴の制御された形態で吐出することができるので、円環状のガラス繊維上での接着剤組成物の均一な組成物分布に目標を定めることができる。
【００１０】
本発明の様々な特徴を、単独で採用するか又は組み合わせることにより、以下を導くことが可能である：
−  環状吐出装置の周上に連続して配置した少なくとも２つのスプレーノズルは、同一の形態を有し、それらの出口チャネルの傾きによってのみ互いに区別される。したがって、本発明によれば、連続するスプレーノズルは、環状吐出装置の回転面に対するそれらの異なる方向によって本質的に区別され、例えばそれらの外部ジャケット及び発生するジェットの種類の両方において同一又は異なる形態であることは、二次的な区別する特徴であると理解される。
【００１１】
−  回転面に対するスプレーノズルの傾斜角は、０〜８０°の範囲内である。好ましくは、この傾斜角は、５°〜８０°の範囲内であり；環状吐出装置を通過する円環状の繊維上でのバインダー液滴の跳ね返りが回避される限りにおいて、５°の最小傾斜角が有利であり、ここで、この跳ね返りは、その後のバインダーの吐出を不利とし得るものである。より特には、傾斜角は、５°〜７０°の範囲内であってよく、環状吐出装置の下に位置するコンベアに向かう円環状の繊維に沿ってバインダーを噴霧することを回避する点、及びこれらの繊維が環状吐出装置の前を高速で流れる間にバインダーが円環状の繊維中に浸透することが可能である点で、７０°の最大傾斜角が有利である。有利には、傾斜角は、５°〜６０°の範囲内である。
【００１２】
−  各ノズルは、少なくとも１つの分配回路の範囲を定める環状管に固定した固定胴体を備えており、環状吐出装置の周上に連続して配置した少なくとも２つのスプレーノズルは、環状吐出装置の回転軸線に対して１つの同じ軸レベルに配置した胴体を有する。
【００１３】
−  環状吐出装置の周上に連続して配置した少なくとも２つのスプレーノズルは、接着剤組成物のフラットジェットを形成するように、長方形断面のスリットを有するスプレーヘッドを備えている。
【００１４】
−  長方形断面のスリットは、装置の回転面に対して平行である方向に主として延在している。
【００１５】
−  長方形断面のスリットは、接着剤組成物の対応するフラットジェットが、３０°〜１２０°の開口角を有するような寸法とされている。
【００１６】
−  環状吐出装置の周上に連続して配置した少なくとも２つのスプレーノズルは、接着剤組成物の円錐状のジェットを形成するように、円形断面のスリットを有するスプレーヘッドを備えており；少なくとも２つのスプレーノズルを環状吐出装置の周上に連続して配置し、一方が、接着剤組成物の円錐状のジェットを形成するように、円形断面のスリットを有するスプレーヘッドを備え、かつ他方が、接着剤組成物のフラットジェットを形成するように、長方形断面のスリットを有するスプレーヘッドを備えることも想定することができる。
【００１７】
−  環状吐出装置は、複数のスプレーノズルを備え、かつ各ノズルは、環状吐出装置の回転面に対する方向がそれ自体とは異なっているノズルと隣り合っている。
【００１８】
−  ノズルは、少なくとも２つのセットであって、環状吐出装置の回転面に対する方向が第一の傾斜角を取るように各ノズルを構成した第一のセットと、環状吐出装置の回転面に対する方向が第一の角度とは異なる第二の傾斜角を取るように各ノズルを構成した第二のセットとに分けられており、スプレーノズルは、環状吐出装置の周上に、第一のセットのノズルと第二のセットのノズルとが交互となるように配置されている。
【００１９】
−  第一のセットのノズルを、それらが、環状吐出装置の回転面に対して、０°〜４５°の範囲内の第一の傾斜角の方向となるように構成し；好ましくは、第一の傾斜角は、５°〜４０°であってよい。
【００２０】
−  第二のセットのノズルを、それらが、環状吐出装置の回転面に対して、２５°〜８０°の範囲内の第二の傾斜角の方向となるように構成し；好ましくは、第二の傾斜角は、２５°〜６０°であってよい。
【００２１】
−  接着剤組成物のための回路は、単一の供給口、及びスプレーノズルにそれぞれ接続した複数の開口部を備えている。
【００２２】
−  分配回路は、連続する平均内部断面を有する。
【００２３】
−  環状吐出装置は、環状吐出装置の回転軸線に沿ってオフセットしている２つの別個の分配回路を備えており、スプレーノズルは、この分配回路の各々と流体接続するようにこれらの２つの分配回路の間に配置されている。
【００２４】
−  第一の分配回路を、接着剤組成物を受け取るように構成し、第二の分配回路を、圧縮空気を受け取るように構成する。
【００２５】
−  第一の分配回路は、第二の分配回路の平均断面径よりも小さい平均断面径を有する。
【００２６】
−  環状吐出装置は、スプレーノズルを固定した単一の分配回路を備え、これらのスプレーノズルを、この単一の分配回路上に異なる傾きで配置し、それによって、環状吐出装置の周上に連続して配置した少なくとも２つのスプレーノズルが、環状吐出装置の回転面に対して異なる角度を有するようになっている。
【００２７】
−  環状吐出装置は、繊維上に吐出するべき接着剤組成物の量に応じて、圧縮空気の流量を制御するための手段を備える。
【００２８】
本発明は、繊維を接着ステーションに送り、かつ特にこれらの繊維に接着剤を塗布するように構成した、繊維化手段を備えたミネラルウール製造設備にも関し、この製造設備は、接着ステーションが、先に述べた内容に従って接着剤組成物を吐出するための環状吐出装置によって形成される接着装置のみを備えており、環状吐出装置が、回転面が接着されるべき円環状の繊維の通過方向に対して実質的に直角であるように配置されていることを特徴とする。
【００２９】
このタイプの設備は、接着ステーションにおいて、すなわち、繊維の経路に関して繊維化手段の下流にあるステーションにおいて、冷却ステージが省略されているという点で特に有利であることに留意されたい。冷却ステージのないそのような接着ステーションに送る繊維は、接着ステーションの出口部で、すなわち、架橋ステーションへ向かって、この架橋操作にとって完全な状態であるということに、本発明者らは気付くことができた。
【００３０】
そのような設備において、環状吐出装置は、接着剤組成物に関連する第一の分配回路が、圧縮空気に関連する第二の分配回路に対して、繊維の経路の下流に位置するように配置することができる。
【００３１】
本発明はまた、少なくとも以下の工程を行う、ミネラルウール製造方法にも関する：
−  溶融ガラスを繊維化ステーションに運ぶこと、
−  この繊維化ステーションにおいて、ガラス繊維が、接着ステーションに向かう繊維の束の形態を取るように、これらのガラス繊維を作製すること、
−  接着ステーションにおいて、この繊維の束が、接着剤組成物の添加によって一緒に結合し、この繊維の束が、接着ステーション中に冷却リングを配置することなく、接着ステーションへの進入時にすぐに結合すること、及び
−  これまでに得られた、一緒に接着した繊維のバットを加熱することによって変換し、ミネラルウールを形成すること。
【００３２】
より詳細には、このミネラルウール製造方法は、溶融ガラスに適用する遠心効果によってガラス繊維を作り出す工程を含むことができ、遠心によって形成したガラスのフィラメントは、高速及び十分な高温での気体流の吐出効果の下で延伸され、円環状の繊維を形成する。
【００３３】
本発明に従う製造方法では、接着剤組成物を、接着剤組成物の吐出によって繊維束上に吐出し、これは、接着ステーションでのバインダーの吐出の上流又は下流での特定の冷却工程を伴わずに行われることに注目することができる。本発明によるミネラルウール製造方法では、一方で、高温の気体流の吹き付けによって形成される繊維の束が、特定の予備冷却ステージを形成する必要なしに接着剤組成物の吐出を受け、かつ他方で、接着した繊維の束は、接着ステーションと架橋ステーションとの間で特定の冷却ステージを形成する必要なしに架橋ステーションに到達することに留意されたい。
【００３４】
本発明の他の特徴、本発明の詳細、及び本発明の利点は、以下の図面で示される本発明の種々の例示的な実施形態に関連して、以降で参考として与えられる詳細な記述を読むことで、より明らかとなる。
【図面の簡単な説明】
【００３５】
【図１】図１は、接着剤組成物を円環状の繊維に噴霧する接着ステーションを特に示す、ミネラルウール製造設備の一部の模式図である。
【図２】図２は、接着するべき繊維を得る繊維化ステーションのフードの周囲に取り付けられた、図１に模式的に示される接着装置の前面図である。
【図３】図３は、図２の接着装置の半分の前面図である。
【図４】図４は、図３の詳細図であり、スプレーノズルの異なる方向を示す目的で接着装置の２つのスプレーノズルをより詳細に示しており、これらのノズルから噴霧したバインダーのジェットが模式的に表されている。
【図５】図５は、図４に示される切断面Ｖ−Ｖによるスプレーノズルの断面図である。
【図６】図６は、図４に示される切断面ＶＩ−ＶＩによるスプレーノズルの断面図である。
【図７】図７は、スプレーノズル、及びそれが取り付けられた分配回路の例示的な実施形態の部分断面図である。
【発明を実施するための形態】
【００３６】
本発明は、円環状のガラス繊維上にバインダーを噴霧するためのノズルの特定の配置に関し、特に具体的には、通過するこの円環状の繊維の周囲に連続して配置した複数のノズルにおいて、この連続したノズルのうちの２つの隣り合うノズルは、それぞれが他方とは異なる噴霧角で円環状の繊維上にバインダーを吐出するように構成されている。以降で述べるように、このことによって、ノズルを互いに近接した配置を有することが可能となり、液滴の合着の問題をまったく起こすことなく、霧化ゾーン間の重なりを改善することができる。
【００３７】
図１は、ミネラルウール製造設備１００の一部を示し、より詳細には、グラスウール製造設備を示す。より詳細には、グラスウールを例とするミネラルウールタイプの断熱材料を形成する、接着されたガラス繊維から構成される断熱バットの作製に関与する、異なる連続したステーションを示す。第一のステーションは、繊維化ステーション１と称され、遠心円板を介して繊維を得ることから成り、その下流には、接着ステーション２と称される第二のステーションがあり、そこでは、前工程で得られた繊維３の接着を主として行い、繊維を一緒に結合する。
【００３８】
接着した繊維を、コンベアベルト４上の成形ステーションに配置し、架橋ステーション５を形成するオーブンへと繊維を運び、そこでは、繊維を加熱してバインダーを架橋する。
【００３９】
コンベアベルト４は、気体及び水に対して透過性であり、上記で述べた繊維化プロセスからの空気や蒸気などの気体及び過剰な水性組成物のための吸引プレナム６の上に延在している。したがって、コンベアベルト４上で、接着剤組成物と密接に混合したグラスウール繊維のバット７が形成される。バット７は、コンベアベルト４によって、バインダーのための架橋ステーション５を形成するオーブンへ導入され、バインダーは、ここでは、例えば熱硬化性バインダーであってよい。
【００４０】
そのような設備ラインは、グラスウール繊維に基づく製品の製造に適しているが、以下に記載するように、ミネラル繊維に基づく製品の製造に明らかに適していると理解される。
【００４１】
繊維化ステーション１は、ここでは、内部遠心に基づく繊維化法を実施するように構成されている。この後に接着ステーションを通過させるために、遠心機の出口部で繊維が得られる限りにおいて、任意のタイプの遠心と、それに伴う任意のタイプの遠心機を、以降での教示事項において共に実施することができることが理解される。
【００４２】
例として示される図１では、溶融ガラスを、溶融オーブンから糸状物１４として投入することができ、最初に、遠心機１２で回収し、次に回転しながら運ばれる多数のフィラメントの形態で排出することができる。遠心機１２は、さらに、環状バーナー１５で囲まれており、この環状バーナーが、遠心機の壁の周辺部で、高速の気体流であって、かつガラス繊維フィラメントを延伸して円環状の形態１６とするのに十分に高い温度の気体流を作り出す。
【００４３】
上記のとおり与えられる繊維化ステーションの例が、本発明を示すものであり、かつ本発明を限定するものではないことが理解され、並びに、溶融ガラスが遠心によって延伸し、その後、円環状の繊維１６の形態で接着ステーションへと与えられる限りにおいて、バスケット及び穿孔された底壁を用いるか、又は中実の底を有する円板を用いる内部遠心による繊維化の方法を提供することが等しく可能であることが理解される。
【００４４】
さらに、この繊維化ステーションについて、本発明を制限しない他の変型例を、特に、環状バーナーに対する代替として又は追加としての手段を提供することも可能であり、例えば、ガラス及び遠心機を正しい温度に維持する働きをするインダクタータイプを例とする加熱手段１８を提供することもできる。
【００４５】
適切に作り出された円環状の繊維１６は、以降で接着装置２０と呼ぶ接着剤組成物を吐出するための環状装置によって囲まれており、図１には、その２つのスプレーノズル２２のみが示されている。
【００４６】
続いて、接着ステーション２に配置した吐出装置又は接着装置２０について、特に図２〜７を参照して、より詳細に記載する。
【００４７】
接着装置２０は、回転軸線Ｘ−Ｘ周りの回転の概略形状を有する環状リング２１を備えている。リング２１は、回転軸線Ｘ−Ｘに沿って距離ｄオフセットしている２つの別個の分配回路、及びこれら２つの分配回路間に配置され、かつ分配回路との流体接続を確保するように構成されている複数のスプレーノズル２２を備えている。リングの分配回路の数、及び／又はこれら分配回路中での流体の循環に関する変型例について、以下に記載する。
【００４８】
図示した例では、環状リングは、第一の環状管２３及び第二の環状管２５を備えており、第一の環状管２３内には、接着剤組成物を循環させるための第一の分配ダクト２４（特に図５〜７で確認可能）が形成されており、第二の環状管２５は、回転面に従って、環状リング２１の回転軸線Ｘ−Ｘに対して直角に、かつ第一の環状管２３の回転面に対して平行に延在する。以降では、環状吐出装置の回転面Ｐは、直前に述べた回転面のうちの一方又は他方である面として、又は少なくともそれに対して平行である面として定義される。
【００４９】
この第二の環状管２５の内部には、接着装置２０を通過する繊維上に接着剤組成物を吐出可能とする、圧縮空気を循環させるための第二の分配ダクト２６（やはり図５〜７で確認可能）が形成されている。
【００５０】
第一の環状管２３は、その内壁が第一の分配ダクト２４の範囲を定める管状形態を有し、管の周全体にわたって一定であるか、又は実質的に一定である断面を有する。実質的に一定である断面とは、５％未満の差異の範囲内で同じに維持されている断面を意味するものと理解される。目安の例としては、第一の環状管の平均断面は、１０ｍｍ〜３０ｍｍの直径Ｄ１を有することができる。
【００５１】
第一の環状管２３は、単一の供給ゾーン２７を備えており、そこには、接着剤組成物のための供給パイプ２８が取り付けられ、この供給パイプの他方の端部は、ここでは図示しないが、この接着剤組成物のタンクと連結していて、このタンクの中で水と接着剤とを混合する。
【００５２】
接着剤組成物のための供給パイプ２８は、環状分配リングの回転軸線に対して平行に配置されているが、この接着剤組成物の供給口は、本発明の状況から逸脱することなく、異なって配置される可能性もあることが理解される。しかしながら、本発明の特徴によれば、接着剤組成物は、単一の供給ゾーンを介して第一の環状管の第一の分配ダクトに注入され、さらには、接着剤組成物は、第一の分配ダクトの周全体を循環することが意図されていることに留意されたい。
【００５３】
第一の分配ダクト２４の範囲を定める第一の環状管２３はまた、第一の環状管の周全体に規則的に分布した複数の出口開口部２９（特に図５〜７で確認可能）も備えている。以降でより詳細に述べるように、これらの出口開口部の各々は、対応する出口開口部を介して第一の分配ダクト２４と流体接続するように配置したスプレーノズル２２上まで通じている。
【００５４】
上記の結果、第一の環状管２３は、接着剤組成物をスプレーノズル２２に向けて分配することに充てられることになる。
【００５５】
さらに、第二の環状管２５は、その内壁が第二の分配ダクト２６の範囲を定める管状形態を有し、管の周全体にわたって一定であるか、又は実質的に一定である断面を有する。実質的に一定である断面とは、５％未満の差異の範囲内で同じに維持されている断面を意味するものと理解される。目安の例としては、第二の環状管の平均断面は、３０ｍｍ〜５０ｍｍの直径Ｄ２を有することができる。
【００５６】
第一の環状管と同様に、第二の環状管２５は、単一の供給ゾーン３１を備え、そこには、圧縮空気を取り込むための供給継ぎ手３１’が取り付けられている。
【００５７】
圧縮空気供給継ぎ手３１’は、環状分配リングの回転軸線に対して平行に、及び接着剤組成物のための供給パイプ２８に対して平行に配置されるが、この圧縮空気の供給口は、本発明の状況から逸脱することなく、異なって配置される可能性もあることは理解される。しかしながら、本発明の特徴によると、圧縮空気は、単一の供給ゾーンを介して第二の環状管の第二の分配ダクトに注入され、さらには、圧縮空気は、第二の分配ダクトの周全体を循環することが意図されていることに留意されたい。
【００５８】
第二の分配ダクト２６の範囲を定める第二の環状管２５はまた、第二の環状管の周囲全体に規則的に分布された複数の出口開口部３０（図５〜７で確認可能）も備えている。第一の環状管２３について記載することができた内容と同様に、これらの出口開口部の各々は、対応する出口開口部を介して第二の分配ダクト２６と流体接続するように配置されたスプレーノズル２２上まで通じており、接着装置２０のスプレーノズル２２の各々は、一方では第一の分配ダクト２４と、他方では第二の分配ダクト２６と流体接続している。
【００５９】
上記の結果、第二の環状管２６は、圧縮空気をスプレーノズル２２に向けて分配することに充てられることになる。
【００６０】
特に図２及び３から分かるように、圧縮空気の循環専用である第二の分配ダクト２６の範囲を定めるこの第二の環状管２５は、接着剤組成物の循環専用である第一の分配ダクト２４の範囲を定める第一の環状管２３の上側に配置されている。上側との用語を正しく理解するために、この設備における接着装置の位置について言及する。第一の環状管２３の上側に配置した第二の環状管２５を、繊維が落下してくる遠心円板にできる限り近く配置し、それによって、円環状を成すこれらの繊維１６が、圧縮空気専用のダクトの範囲を定める環状管をまず通過する必要があるようになっている。
【００６１】
第一の管が環状リングの回転軸線周りに形成するループの直径は、第二の管の対応する直径よりも大きく、それによって、これら２つの環状管は、第二の環状管が第一の環状管に対して最も内側となるように半径方向のオフセットｒで、互いに上下に重なって配置されている。その結果、２つの環状管の各々に固定されたスプレーノズル２２は、環状リングの回転軸線に対して傾いた方向になる。以降で述べるように、スプレーノズルは、回転軸線に対するそれらの傾斜角がノズルごとに異なったものとなり得るように、環状管上に固定されている。
【００６２】
第一及び第二の環状管は、それぞれ第一及び第二の分配ダクトの範囲を定めるそれらの内壁が、各々、互いに異なる平均断面を有するように構成されている。特に、第二の管の内壁は、第一の環状管の内壁の平均断面の直径Ｄ１よりも大きい直径Ｄ２の平均断面を定める。接着剤組成物の経路断面は、したがって、圧縮空気の経路断面よりも小さい。そのような特徴によって、第一の狭い方の分配ダクトが、常に接着剤組成物で満たされていることを確実にしおり、かつスプレーノズルへの供給の不具合が発生しないことを確実にすることが可能となる。さらに、第一の分配ダクトの断面をより小さい寸法とすることにより、この第一のダクト中での接着剤組成物の移動速度を加速することが可能となり、したがって、第一の環状管のいかなる閉塞も防止することが可能となる。
【００６３】
環状管の内径がこのように異なるということは、これらの管の外径もまた異なるという結果となり、それによって、接着剤組成物の取り込みのための管よりも大きい管を、空気の取り込みのために備えるようになっている。図示した例では、大きい方の管が小さい方の管よりも上側に位置しており、ここでは示されていないが、接着ステーションでリングを固定するための固定フランジを、特に大きい方の管に取り付けることができる。管は、いかなる点でも本発明の状況から逸脱することなく、互いに異なって配置されていてもよいことが理解され、特に、空気取り込み管が、接着剤組成物のために備えられる小さい方の管の下側に位置することもできる。
【００６４】
特に図２〜７に示されるように、環状ダクト２１を形成する環状管２３、２５は、互いに上下に配置され、それによって、第一の分配ダクトの第一の出口開口部及び第二の分配ダクトの第二の出口開口部が、軸線方向に重なり合うように、すなわち、それらが、対応するダクトの回転軸線周りに角度的に同じように分布するようになっている。
【００６５】
このようにして、第一の分配ダクトの第一の出口開口部を第二の分配ダクトの第二の出口開口部と流体接続するスプレーノズル２２は、軸線方向に、すなわち、環状リングの回転軸線Ｘ−Ｘを含む面内に延在している。
【００６６】
特に図５〜７に示されるように、スプレーノズル２２は、２つの環状管の間に延在する胴体３２、方向軸線Ａ−Ａに従ってこの胴体３２を通って延在する液体ノズル３４、及び液体ノズルの自由端部に配置され、接着剤組成物を、特定の形態のジェットによって、ここではフラットジェットによって霧化させるように構成したスプレーヘッド又はエアキャップ３６を備えている。
【００６７】
胴体３２は、円筒形状を有し、ここでは２つの内部チャネルを備えている長方形断面を有しており、それによって、この胴体が、一方では、第一の分配ダクト２４から第一の出口開口部２９を介して到達する接着剤組成物を受け取ることができ、他方では、第二の分配ダクト２６から第二の出口開口部３０を介して到達する圧縮空気を受け取ることができるようになっている。したがって、胴体３２は、一方の環状管から他方の環状管へ延在する延長軸線Ｙ−Ｙによって定められる。図７に示す構成では、延長軸線Ｙ−Ｙが各環状管の中心を通る直線と一致するように、スプレーノズル２２が構成されており、その結果、液体ノズル３４の方向軸線Ａ−Ａと環状吐出装置の回転面Ｐとの間に角度αが存在し、ここでは４０°に等しい。
【００６８】
各スプレーノズル２２の胴体３２は、各管に形成された出口開口部に面するようにその端部を配置したところで、環状管に溶接されている。
【００６９】
胴体３２の第一の面３８は、環状リングの内側及びその回転軸線Ｘ−Ｘに向けられ、かつ第二の面３９は、反対の方向に向けられている。この胴体は、その中央の、胴体の延長軸線Ｙ−Ｙを横切る方向に、胴体３２の第一及び第二の面のうちの一つの各端部にあらわれる液体ノズル３４を受けるためのシースを備えている。シースは、実質的に胴体の中央に、すなわち、第一の環状管２３及び第二の環状管２５から等距離に延在している。シースは、第一の出口開口部２９と接続して胴体３２の延長軸線Ｙ−Ｙに対して平行に延在する第一の内部チャネル４２と接続するように穿孔されている。これらの内部チャネルは、圧縮空気と接着剤組成物を別々に、スプレーヘッド３６の近くまで運ぶように構成されている。
【００７０】
スプレーヘッド３６は、液体ノズル３４の出口部で混合チャンバーを形成するドーム形状を有し、ここで、圧縮空気と接着剤組成物とを混合して液滴を形成し、この液滴をスプレーヘッドに形成されているスプレースリット５０を介して吐出させるようになっている。
【００７１】
スプレーノズル２２が、環状管２３の第一の分配ダクト２４及び／又は環状管２５の第二一の分配ダクト２６の間の流体接続を可能とするように構成されていること、並びに接着剤組成物が環状吐出装置から排出される際に通るスプレースリット５０が、接着剤スプレーを円環状の繊維上に吐出し、かつスプレーを角度範囲全体に分散させるように構成されていることが理解される。
【００７２】
スプレースリット５０は、スプレーノズルの方向軸線Ａ−Ａ上に、すなわち、噴霧器の胴体内部にある接着剤組成物のための循環ダクトを定める中空ロッド４６の軸線上に中心があり、かつスプレーノズルの方向軸線Ａ−Ａが吐出の主方向を定め、それに従って、スプレーノズルの出口部から接着剤組成物が吐出されることが理解される。
【００７３】
特に図５から分かるように、スプレースリットは、ファンノズルを形成する長方形断面を有し、それによって、吐出の主方向に、接着剤組成物が、長方形断面の長さによって定まる開口角に従って吐出される。こうして形成されたファンの開口角は、３０〜１２０°である。
【００７４】
スプレーヘッド３６は、長方形スリット５０の長さが、環状リングの回転軸線Ｘ−Ｘ及びスプレーノズルの方向軸線Ａ−Ａを通る面に対して直角であり、環状吐出装置の回転面に対して、したがってこの装置の各環状管の回転面に対して平行である方向に向けられる。
【００７５】
先に述べた少なくとも１つのスプレーノズルを備えた接着装置の操作は、以下の通りである。適切な制御手段によって、供給パイプ２８を介した第一の分配ダクトへの接着剤組成物の取り込みを制御することが可能である。接着剤組成物は、この第一の分配ダクトの範囲を定める環状管の周全体を循環し、かつスプレーノズル２２と接続した第一の開口部２９の各々を循環するように押し進められる。スプレーノズル２２に入った接着剤組成物は、スリーブ４０を介して液体ノズル３４に送られ、かつスプレーヘッド３６及び混合チャンバーに向かって押し進められる。
【００７６】
同時に、適切な制御手段によって、供給継ぎ手３１’を介した第二の分配ダクトへの、所望される流量及び圧力での圧縮空気の取り込みを制御することが可能である。空気の流量及び圧力は、特に、接着剤組成物の投入量に応じて決定される。圧縮空気は、この第二の分配ダクトの範囲を定める環状管の周全体を循環し、かつスプレーノズル２２と接続した第二の開口部の各々を循環するように押し進められる。スプレーノズル２２に入った圧縮空気は、液体ノズル３４の周辺部の循環ダクト４８をスプレーヘッド３６及び混合チャンバーに向かって押し進められ、混合チャンバーでは、圧縮空気と接着剤組成物との混合物が、バインダーの霧化に関与し、吐出するバインダーの量に応じた空気流量の制御によって、特に、液滴のサイズに作用させることが可能である。
【００７７】
先に述べた接着装置の操作、及び装置の回転面に対する少なくとも２つのノズルの特定の方向に基づく有益性は、接着剤組成物のジェットがファン又はコーンタイプであるかに関わらず同じであることが理解される。したがって、各ノズルに装備されているスプレースリットは、図示したようなファンノズルの形成に関与する長方形断面、又はそうでなければコーンノズルの形成に関与する円形断面を有することができる。
【００７８】
以降では、本発明によるスプレーノズルの特定の配置について、特に、環状管の周上にあるこれらのノズルの少なくとも２つの傾きが可変であることについてより詳細に説明する。
【００７９】
図２〜６に示すように、本発明に従う接着装置は、環状リングの周上に配置された複数のスプレーノズルを備えている。これらのノズルは、リングの周全体に規則的に環状に分布している。本発明の実施形態によれば、ノズルの数が、したがって、２つの隣り合うノズル間の分離角が、それぞれの接着装置によって変動し得ることが理解される。図２では、接着装置は、一連の１６個のスプレーノズルを備え、それによって、一連のノズルのうちの２つの連続するノズル間の分離角が、２２．５°であるようになっている。
【００８０】
これらのノズルは、１つの同じ軸レベル上に配置されており、すなわち、各々は、第一の環状管と第二の環状管との間に配置され、それによって、各ノズルの胴体は、環状リングの回転軸線に対して直角である１つの同じ面上に中心があるようになっている。言い換えると、スプレーノズルは、それらの胴体、すなわち、それらの各環状管との接合部が、同じ高さにまで延在するように構成されていると述べることができる。
【００８１】
図面には、特に図２〜６には、すべてのスプレーノズルが同一の設計である例示的な実施形態が示されており、それによって、ノズルは、それらの方向軸線Ａ−Ａの傾きによってのみ異なる。本発明の状況から逸脱することなく、スプレーノズルは、同じ高さに延在する少なくとも２つのスプレーノズルの各々が、互いに異なる傾きを有する限りにおいて、それらの設計が異なっていてもよいことが理解される。
【００８２】
本発明によると、リングの周上に連続して配置した少なくとも２つのスプレーノズル、すなわち、図４に示すような２つの隣り合うスプレーノズルは、これら２つのノズルのうちの一方の方向軸線Ａ−Ａが、したがってその出口チャネルが、リングの回転面に対して、他の２つのノズルとは異なる角度を有するように配置されている。
【００８３】
示した例では、スプレーノズルの少なくとも２セットは、リングの回転面に対するそれらの傾きによって区別される。図６から確認できるように、第一のセットのスプレーノズル２２１は、方向軸線Ａ−Ａが、環状リングの回転面と、ここでは３０°に等しい第一の角度α１を形成するように傾けられている。図６で確認できるように、第二のセットのスプレーノズル２２２は、方向軸線Ａ−Ａが、環状リングの回転面と、ここでは４５°に等しい第二の角度α２を形成するように傾けられている。
【００８４】
２つの隣り合うノズルが異なる傾きを有するという本発明の特徴によって、これら２つのセットの各々のノズルは、環状リングの周全体にわたって交互に存在し、それによって、スプレーノズルの所与の第一のセット２２１のノズルは、同じセットの一部を形成するノズルと隣り合わず、すなわち、環状リングの回転面に対して同じ傾きを有するノズルとは隣り合わないことが理解される。この周上では、ノズルの第一のセット２２１のスプレーノズル２２、ノズルの第二のセット２２２のスプレーノズル２２、そして再度ノズルの第一のセット２２１のスプレーノズル２２等々が、交互に存在する。
【００８５】
図５〜７は、スプレーノズルごとに異なる傾きを作り出すための本発明に従う例を示す。
【００８６】
示した２つのケースの各々において、胴体に形成されるスリーブの中心Ｃと、各環状管の中心とは整列している。また、胴体は、スリーブの中心Ｃによって定められるこの中心点の周りを軸回転し、接合点５２の領域で、対応する環状管にもたれかかった状態となり、この接合領域は、垂直軸線、すなわち、環状リングの回転軸線に対して平行であり、かつこの管の中心を通る軸線から、多かれ少なかれ離れている。この結果、各胴体のシースの中心Ｃは、各々のケースで、回転軸線Ｘ−Ｘに対して軸方向にずれることなく、環状管に対して実質的に同じ位置に存在する。言い換えると、異なる傾きを有するスプレーノズルの胴体は、環状吐出装置の回転軸線に対して１つの同じ軸レベルに配置されている。
【００８７】
図５に示され、図４の切断面Ｖ−Ｖに対応する第一の半径方向切断面では、ノズルの第一のセット２２１のスプレーノズルが示されている。第一の管の第一の出口開口部及び第二の出口開口部は、各環状管に特異的な垂直軸線から離れており、その結果、端部が２つの出口開口部と重なった状態となるようなノズルの胴体の第一の傾きとなっている。この第一の傾きは、第一のセット２２１のスプレーノズルの方向軸線Ａ−Ａの回転面に対する傾斜角α１に等しく、すなわち、ここでは３０°に等しい。
【００８８】
図６に示され、図４の切断面ＶＩ−ＶＩに対応する第二の半径方向切断面では、ノズルの第二のセット２２２のスプレーノズルが示されている。第一の管の第一の出口開口部及び第二の出口開口部は、第一の切断面の場合よりも各環状管に特異的な垂直軸線に近く、その結果、端部が出口開口部と重なった状態となるようなノズルの胴体の第二の傾きとなっている。この第二の傾きは、第二のセット２２２のスプレーノズルの方向軸線Ａ−Ａの回転面に対する傾斜角α２に等しく、すなわち、ここでは４５°に等しい。
【００８９】
第一のセットのスプレーノズル及び第二のセットのスプレーノズルが、特に、環状吐出装置の周上に同心状に配置された２つのノズルが、図に示され得るように、同一の形態を有すること、並びにこれらのノズルが、２つの分配ダクトと連結している胴体の傾きのみによって、したがって、それらの出口部チャネルの傾きのみによって区別されることに留意されたい。
【００９０】
図１に示すように、第一のセット２２１のノズルの方向と、第二のセット２２２のノズルの方向とのこの違いは、円環状の繊維１６上へのバインダーのジェットの吐出高さが異なるという結果をもたらす。したがって、第一のセット２２１のノズルによって吐出したバインダーは、第二のセット２２２のノズルによって吐出したバインダーよりも先に繊維に影響を与える。このようにして、第一のセット２２１のノズルによって吐出した第一のスプレー２０１は、第二のセット２２２のノズルによって吐出した第二のスプレー２０２が拡がる面に対して軸線方向にずれている面上に拡がり、かつスプレー中に形成した液滴は、隣り合うスプレー中に形成した液滴と衝突しないか、又は少なくとも許容される限度内で衝突し、それによって、スプレーの衝突によって発生する可能性のある液滴の合着の問題を避けられるか、又は制限するようになっている。図４は、例として、軸線方向の重なりゾーンＺＲを示し、そこでは、第一のスプレー２０１の正放線方向端部２０１’で形成した液滴が、第二のスプレー２０２の正放線方向端部２０２’で形成した液滴の上を通過する。この重なりゾーンでは、回転軸線Ｘ−Ｘに沿った軸線方向のオフセットによって、液滴が衝突せず、変形のリスクに曝されないことが確保される。したがって、異なっているノズルのセット、ひいては、異なる方向にあるノズルのセットを形成する程度にまで、２つの隣り合うスプレーノズルをできる限り近くに一緒に配置することが可能であり、それによって、液滴の変形のリスクなしにこれらの重なりゾーンを形成し、かつスプレーノズルの１つが故障した場合でも円環状の繊維の周全体に接着を施すために必要な余分の機能を確保することができる。特に図４の説明を参照することによって、第一のセット２２１のスプレーノズルが動作を停止した場合であっても、ゾーンＺＲには、隣り合う第二のセット２２２のノズルによって、第一のセット２２１のノズルによって前記ゾーンＺＲで接着することができる高さとは異なる高さで、接着剤の吐出を続けることができることを容易に理解することができる。隣り合うノズルの傾きの違いによって発生するこの吐出高さの違いは、それらのノズルの両方が正常に運転する状態である場合に、これらの２つの隣り合うノズルによって送られる液滴のサイズが、変化させられることを回避することを可能にする。
【００９１】
上記から、本発明によれば、１つの同じ軸レベル上に配置したスプレーノズルを、環状分配装置の回転面に対して互いに異なる傾きを有するようにすることが重要であり、特に、好ましい状況では、その傾きを交互とすることによって配置することが重要であることが理解され、それによって、環状分配装置の周上において、スプレーは、いわゆる高位置といわゆる低位置とに交互に向けられ、ここで、いわゆる高位置は、環状分配装置中を通過する繊維の経路上でのいわゆる低位置の上流側に位置する。繊維の経路に沿った吐出のオフセットによって、隣り合うスプレーによって一のスプレーが崩壊することを回避することができ、かつ一つ又は複数の分配ダクトに固定するためのノズルの胴体を同じ軸レベルに置いたスプレーノズルを介して、この吐出のオフセットを得ることによって、環状分配装置を小型にすることが可能となる。
【００９２】
本発明に従う配置は、上記で記載し、図示した装置で実施することができ、また、本発明の状況から逸脱することなく、装置の他の実施形態で実施することもできる。例えば、内部を接着剤が循環する環状管上に直接配置したスプレーノズルを備えている装置であって、各ノズルに共通の空気分配ダクトを備える必要なしに、したがって、上記で述べたようにスプレーノズルを２つのダクト間に配置する必要なしに、空気を各ノズルの前に独立して添加する装置を提供することが可能である。したがって、そのような装置は、接着剤組成物のための分配回路、及び分配回路と流体接続し、かつ環状吐出装置の周上に分布したスプレーノズルであって、接着剤組成物を回転軸線によって定められる環状吐出装置の内側を通過することが意図されているガラス繊維上に吐出するための複数のスプレーノズルを備えており、各スプレーノズルは、装置の回転面に対して決定される傾斜角で、環状吐出装置の内側に向けられた接着剤組成物を送るための出口チャネルを備える、という点で、また、環状吐出装置の周上に連続して配置した少なくとも２つのスプレーノズルを備えており、それらノズルのそれぞれの出口チャネルが、環状吐出装置の回転面に対して異なる角度を有するように配置されている、という点で、本発明に従うものである。
【００９３】
別の例によると、いわゆる「エアレス（ａｉｒ−ｌｅｓｓ）」ノズル、すなわち、接着剤の吐出を行うために圧縮空気を添加せずに運転するノズルを、スプレーノズルとして提供することが可能である。この場合、回転軸線に従って互いに上下に配置した２つの環状管と、これら２つの環状管の間にそれぞれ配置したスプレーノズルとを備えた環状吐出装置の構造が維持され、かつ第二の環状管は、分配回路としては働かず、構造上の機能のみを有する、という第一の変型例を提供することができる。接着剤組成物のみが、第一の環状管によって形成した第一の分配回路中を循環し、かつ第二の環状管には空気を送らない。また、環状吐出装置が、１つのみの環状管を備えており、その上にスプレーノズルを配置した第二の変型例を提供することも可能であり、本発明に従って、スプレーノズルが、２つの隣り合うノズルが環状吐出装置の回転面に対して異なる方向を有するように、この単一の環状管上に固定されていることが理解される。
【００９４】
別の例によると、ノズルを、２セットを超えて分けることができ、各セットが、上記のように、ノズルが特定の傾斜角を有することで特徴付けられるノズルを提供することも可能である。１５°に等しい傾きαを有するノズルによって定められる第一のセット、３０°に等しい傾きαを有するノズルによって定められる第二のセット、及び４５°に等しい傾きαを有するノズルによって定められる第三のセットを提供することが可能である。上記のように、同じ傾きを有し、かつそのジェットが隣り合うジェットによって妨害されるリスクのある、隣り合わせに並んだノズルは、こうして回避される。
【００９５】
上記では、接着剤組成物について言及しており、接着剤組成物は、例えば、フェノール系バインダーから、又は低ホルムアルデヒド含量の、好ましくはさらにホルムアルデヒドを含まない代替バインダーからなるものであってよい。そのようなバインダーは、多くの場合、特に、少なくとも部分的に、再生可能原材料のベースから誘導される場合に、特に、植物性のもの、とりわけ、水素化した糖又は非水素化糖に基づくタイプから誘導される場合に、「グリーンバインダー」の要件を満たす。
【００９６】
より詳細には、第一の分配ダクトを介して分配するために、以下を含有する接着剤組成物を提供することができる：
（ａ）還元糖、非還元糖、水素化糖、及びこれらの混合物から選択される少なくとも１つの糖質、並びに
（ｂ）少なくとも１つの糖質架橋剤。
【００９７】
「糖質架橋剤」とは、ここでは、場合によっては触媒の存在下で、糖質と反応することができ、かつ糖質と共に少なくとも部分的に不溶性の三次元網目構造を形成することができる化合物を意味するものと理解される。
【００９８】
また、「糖質」の用語は、ここでは、厳密な意味での糖質、すなわち、少なくとも１つのアルデヒド基又はケトン基（還元基）を有する式Ｃｎ（Ｈ２Ｏ）ｐの還元糖又は炭水化物のみを包含するのではなく、アルデヒド基又はケトン基をアルコール還元したこれらの炭水化物の水素化生成物も包含することから、通常よりも広い意味を有する。この用語はまた、いくつかのグルシド単位から構成された非還元糖であって、ヘミアセタールヒドロキシルを有する炭素が、このグルシド単位を互いに結合するオシド結合（グリコシド結合）に関与している非還元糖も包含する。
【００９９】
糖質及び架橋剤、好ましくはポリカルボン酸に基づく、本発明で用いることができる接着剤組成物は公知であり、例えば、米国特許第８，１９７，５８７号明細書、国際公開第２０１０／０２９２６６号、国際公開第２０１３／０１４３９９号、国際公開第２０１５／１８１４５８号、国際公開第２０１２／１６８６１９号、国際公開第２０１２／１６８６２１号、国際公開第２０１２／０７２９３８号に記載されている。
【０１００】
糖質成分は、還元糖若しくは非還元糖、還元糖若しくは非還元糖を含まない水素化糖、又はこれらの混合物に基づいていてよい。
【０１０１】
還元糖としては、単糖（モノサッカリド）及びグルコシド（二糖、オリゴ糖、及び多糖）が挙げられる。列挙することができる単糖の例は、３〜８個の炭素原子を含む単糖であり、好ましくは、アルドース、有利には、５〜７個の炭素原子を含有するアルドースである。特に好ましいアルドースは、天然アルドース（Ｄ体に属する）であり、特に、グルコース、マンノース、及びガラクトースなどのヘキソースである。ラクトース又はマルトースは、還元糖として用いることができる二糖の例である。本発明で用いることができる多糖は、好ましくは、１０００００未満、好ましくは５００００未満、有利には１００００未満の重量平均モル分子量を有する。好ましくは、多糖は、上記で述べたアルドース、有利にはグルコースの中から選択される少なくとも１つの単位を含む。ほとんどが（５０重量％超が）グルコース単位で構成されている還元多糖が特に好ましい。
【０１０２】
還元糖は、特に、単糖の、オリゴ糖の、及び多糖、特にデキストリンの混合物であってよい。デキストリンは、一般式（Ｃ６Ｈ１０Ｏ５）ｎに従う化合物である。それらは、デンプンの部分加水分解によって得られる。それらのデキストロース当量（ＤＥ）は、有利には５〜９９、好ましくは１０〜８０である。
【０１０３】
非還元糖は、好ましくは、最大１０個のグルシド単位を含む非還元オリゴホロシドである。列挙することができるそのような非還元糖の例は、トレハロース、イソトレハロース、サッカロース、及びイソサッカロース（「イソスクロース」）などのジホロシド；メレジトース、ゲンチアノース、ラフィノース、エルロース、及びウンベリフェロースなどのトリホロシド；スタキオースなどのテトラホロシド；並びにベルバスコースなどのペンタホロシドである。サッカロース及びトレハロースが好ましく、サッカロースがさらにより好ましい。
【０１０４】
「水素化糖」とは、本発明において、単糖、二糖、オリゴ糖、及び多糖、並びにこれらの生成物の混合物から選択される糖を還元して得られる生成物一式を意味するものと理解される。水素化糖は、好ましくは、デンプンの加水分解物の水素化生成物である（加水分解度は、一般的に、５〜９９、有利には１０〜８０の範囲内のデキストロース当量（ＤＥ）によって特徴付けられる）。水素化は、糖又は糖の混合物（デンプンの加水分解物）を、糖のポリオール又はアルコールに変換する。
【０１０５】
列挙することができる水素化糖の例としては、エリスリトール、アラビトール、キシリトール、ソルビトール、マンニトール、イジトール、マルチトール、イソマルチトール、ラクチトール、セロビトール、パラチニトール、マルトトリトール、及びデンプン加水分解物の水素化生成物が挙げられる。好ましくは、水素化糖又は水素化糖の混合物は、大部分が、すなわち５０重量％超が、マルチトール（デンプンの酵素加水分解から得られるグルコースの二量体であるマルトースの水素化生成物）から構成される。
【０１０６】
成分（ａ）、すなわち、水素化糖、及び／又は還元糖、及び／又は非還元糖から構成される糖質は、有利には、接着剤組成物の乾燥材料に対して３０〜７０重量％、好ましくは４０〜６０重量％を占める。これらの値は、任意の添加物の添加前のものと理解される。
【０１０７】
本発明で用いられる架橋剤、すなわち成分（ｂ）は、好ましくは、ポリカルボン酸、ポリカルボン酸の塩及び無水物、アミン、無機酸の金属塩、並びに無機酸のアミン塩及びアンモニウム塩、さらには上述した化合物の混合物の中から選択される。
【０１０８】
無機酸は、例えば、硫酸、リン酸、硝酸、及び塩化水素酸である。金属塩は、アルカリ金属、アルカリ土類金属、及び遷移金属の塩であってよい。
【０１０９】
本発明において架橋剤として用いることができる無機酸及びそれらの塩は、例えば、国際公開第２０１２／１６８６１９号、国際公開第２０１２／１６８６２１号、及び国際公開第２０１２／０７２９３８号の特許出願に記載されている。
【０１１０】
好ましい実施形態では、架橋剤は、ポリカルボン酸を含むか、又はポリカルボン酸である。ポリカルボン酸は、ポリマー酸（すなわち、カルボキシル化モノマーの重合によって得られるもの）又はモノマー酸であってよい。
【０１１１】
接着剤組成物の粘度を制限するために、このポリカルボン酸は、有利には、５００００又はこれ未満、好ましくは１００００又はこれ未満、有利には５０００又はこれ未満の数平均モル分子量を有する。
【０１１２】
列挙することができるポリマーポリカルボン酸の例としては、「メタ」アクリル酸、クロトン酸、イソクロトン酸、マレイン酸、桂皮酸、２−メチルマレイン酸、フマル酸、イタコン酸、２−メチルイタコン酸、α，β−メチレングルタル酸などの少なくとも１つのカルボン酸基を持つモノマー、並びにＣ１〜Ｃ１０のアルキルのマレエート及びフマレートなどの不飽和ジカルボン酸のモノマーから得られる、ホモポリマー又及びコポリマーが挙げられる。コポリマーは、酢酸ビニル、アルキル、ヒドロキシル、若しくはスルホニル基で、又はハロゲン原子で置換された、又は置換されていないスチレン、（メタ）アクリロニトリル、（メタ）アクリルアミド、Ｃ１〜Ｃ１０のアルキル（メタ）アクリレート、特にメチル（メタ）アクリレート、エチル（メタ）アクリレート、ｎ−ブチル（メタ）アクリレート、及びイソブチル（メタ）アクリレートなどの、一つ若しくは複数のビニルモノマー又はアクリルモノマーも含有していてよい。
【０１１３】
特に好ましい実施形態では、成分（ｂ）は、ポリカルボン酸モノマーであるか、又はポリカルボン酸モノマーを含む。ポリカルボン酸モノマーとは、ポリカルボン酸であって、カルボキシル化モノマーの重合から得られたものではないポリカルボン酸を意味するものと理解される。したがって、ポリカルボン酸モノマーは、繰り返し単位の鎖を含まない。
【０１１４】
ポリカルボン酸モノマーは、ジカルボン酸、トリカルボン酸、又はテトラカルボン酸であってよい。
【０１１５】
ジカルボン酸としては、例えば、シュウ酸、マロン酸、コハク酸、グルタル酸、アジピン酸、ピメリン酸、スベリン酸、アゼライン酸、セバシン酸、リンゴ酸、酒石酸、タルトロン酸、アスパラギン酸、グルタミン酸、フマル酸、イタコン酸、マレイン酸、トラウマチン酸、ショウノウ酸、フタル酸及びその誘導体、特に少なくとも１つのホウ素原子又は塩素原子含有する誘導体、テトラヒドロフタル酸及びその誘導体、特にクロレンド酸などの少なくとも１つの塩素原子を含有する誘導体、イソフタル酸、テトラフタル酸、メサコン酸、及びシトラコン酸が挙げられる。
【０１１６】
トリカルボン酸としては、例えば、クエン酸、トリカルバリル酸、１，２，４−ブタントリカルボン酸、アコニット酸、ヘミメリット酸、トリメリット酸、及びトリメシン酸が挙げられる。テトラカルボン酸としては、例えば１，２，３，４−ブタンテトラカルボン酸及びピロメリット酸を挙げることができる。
【０１１７】
クエン酸が好ましく用いられる。
【０１１８】
成分（ｂ）は、有利には、本発明の接着剤組成物の乾燥材料に対して３０〜７０重量％、好ましくは４０〜６０重量％を占める。これらの値は、任意の添加物の添加前のものと理解される。
【０１１９】
成分（ａ）の成分（ｂ）に対する重量比は、好ましくは、７０／３０〜３０／７０、特に６０／４０〜４０／６０の範囲内である。
【０１２０】
接着剤組成物は、例えば、粘土、コロイダルシリカ、非コロイダルシリカ、金属酸化物、尿素硫酸塩、塩化尿素、及びシリケートに基づく触媒などの、塩基及びルイス酸の中から選択されてよい触媒も含むことができる。エステル化触媒が好ましい。
【０１２１】
触媒は、リンを含有する化合物であってもよく、例えば、アルカリ金属の次亜リン酸塩、アルカリ金属の亜リン酸塩、アルカリ金属のポリリン酸塩、アルカリ金属のリン酸水素塩、リン酸、アルキルホスホン酸である。好ましくは、アルカリ金属は、ナトリウム又はカリウムである。
【０１２２】
触媒は、塩素及び／又はホウ素を含有する化合物であってもよく、例えば、テトラフルオロホウ酸又はこの酸の塩、特に、ナトリウム又はカリウムなどのアルカリ金属のテトラフルオロホウ酸塩、カルシルム又はマグネシウムなどのアルカリ土類金属のテトラフルオロホウ酸塩、亜鉛のテトラフルオロホウ酸塩、及びアンモニウムのテトラフルオロホウ酸塩である。
【０１２３】
好ましくは、触媒は、次亜リン酸ナトリウム、亜リン酸ナトリウム、又はこれらの化合物の混合物である。
【０１２４】
接着剤組成物に導入する触媒の量は、一般に、成分（ａ）及び（ｂ）の総重量中、最大２０重量％、有利には１〜１０重量％に相当する。
【０１２５】
一般に、上記で述べた実施形態は、本発明を何ら限定するものではない。すなわち、記載した特徴を選択することが、技術的利点をもたらすのに十分であるか、又は先行技術の水準に対して本発明を差別化するのに十分である場合に、特に、本明細書中で言及した他の特徴と結果として切り離された、ここで記載した特徴の選択した内容のみを含む本発明の変型例を、立案することが可能である。
【図１】
2020529530.tif 000003
【図２】
2020529530.tif 000004
【図３】
2020529530.tif 000005
【図４】
2020529530.tif 000006
【図５】
2020529530.tif 000007
【図６】
2020529530.tif 000008
【図７】
2020529530.tif 000009
【国際調査報告】
2020529530.tif 000010
2020529530.tif 000011
2020529530.tif 000012
2020529530.tif 000013